(57)【要約】【課題】本出願は、曲げを容易にしてゼロベゼルを有し得るディスプレイ装置及びディスプレイ装置間の境界部分が削除され、最小化されたマルチスクリーンディスプレイ装置を提供する。【解決手段】ディスプレイ装置は、アクティブ領域とアクティブ領域を囲む非アクティブ領域および曲面形態に曲げる曲げ部を有する第１基板、第１基板のアクティブ領域に設けられた画素アレイ層、画素アレイ層上に設ける第２基板、第１基板の非アクティブ領域に設けられ第２基板の側面を覆うカバー膜を含み、カバー膜が曲げ部と重畳する領域を除いた残りの非アクティブ領域に設けられる。  マルチスクリーンディスプレイ装置は、互いに並んだ側面同士密着した複数のスクリーンモジュールを有し、複数のスクリーンモジュールそれぞれは、例えば、上記ディスプレイ装置であり、隣接したスクリーンモジュールの曲げ部は互いに接触し得る。【選択図】図１
2019045861.tif 000002
【特許請求の範囲】
【請求項１】
アクティブ領域と前記アクティブ領域を囲む非アクティブ領域および曲面形態に曲がる曲げ部を有する第１基板と、
前記第１基板のアクティブ領域に設けられた画素アレイ層と、
前記画素アレイ層上に設けられる第２基板と、
前記第１基板の非アクティブ領域に設けられ、前記第２基板の側面を覆うカバー膜とを含み、
前記画素アレイ層は、前記第１基板と前記第２基板との間に配置され、
前記カバー膜が前記曲げ部と重畳する領域を除いた残りの非アクティブ領域に設けられた、ディスプレイ装置。
【請求項２】
前記第２基板が、前記第１基板に対向する第１面及び前記第１面とは反対の第２面を有し、
前記第１基板の曲げ部は、前記第２基板の第２面の方に曲がった、請求項１に記載のディスプレイ装置。
【請求項３】
前記第１基板に配置された透光性フィルムをさらに含む、請求項１に記載のディスプレイ装置。
【請求項４】
前記非アクティブ領域が、第１、第２、第３および第４非アクティブ領域を含み、
前記曲げ部は、
前記第１非アクティブ領域に隣接するアクティブ領域の端に設けられた第１曲げ部と、
前記第２非アクティブ領域に隣接するアクティブ領域の端に設けられた第２曲げ部とを含む、請求項１に記載のディスプレイ装置。
【請求項５】
前記第１、第２、第３および第４非アクティブ領域のそれぞれが、前記第１基板の左側、前記第１基板の右側、前記第１基板の上側、前記第１基板の下側非アクティブ領域である、請求項４に記載のディスプレイ装置。
【請求項６】
前記カバー膜が、前記第３および第４非アクティブ領域と前記曲げ部と重畳する領域から削除された、請求項４に記載のディスプレイ装置。
【請求項７】
前記カバー膜が、前記第３および第４非アクティブ領域と前記曲げ部と重畳する領域を除いた残りの非アクティブ領域にパターニングして形成された、請求項４に記載のディスプレイ装置。
【請求項８】
前記第３および第４非アクティブ領域のうち少なくとも一つの領域に設けられたパッド部と、
前記パッド部に電気的に接続したディスプレイ駆動回路部とをさらに含む、請求項４に記載のディスプレイ装置。
【請求項９】
前記第１および第２非アクティブ領域のうち少なくとも一つの領域に設けられたスキャン駆動回路をさらに含む、請求項４に記載のディスプレイ装置。
【請求項１０】
前記曲げ部が１ｍｍ〜５ｍｍの曲率半径を有する、請求項４に記載のディスプレイ装置。
【請求項１１】
第１基板の最外郭端は、前記第２基板の方に曲がって前記第２基板の最外郭端を包み、
画素アレイ層の最外郭端は、前記曲げ部のカバー膜から分離され、
前記曲げ部はカバー膜が存在しないことによって減少したストレスを有する領域を含み、前記減少したストレスを有する領域の少なくとも一部分は、前記第２基板、カバー膜、第１基板および画素アレイ層の一部分によって包まれる、請求項１に記載のディスプレイ装置。
【請求項１２】
前記カバー膜が、外側曲率部および前記外側曲率部の反対側に位置する内側ノッチ部を含み、
前記第２基板は、前記カバー膜の内側ノッチ部に安着する、請求項１１に記載のディスプレイ装置。
【請求項１３】
前記カバー膜の内側ノッチ部が、ディスプレイ装置の視聴方向の曲げ部のストレス減少領域と重畳する、請求項１２に記載のディスプレイ装置。
【請求項１４】
画素アレイ層が、前記曲げ部に設けられた画素を含む、請求項１に記載のディスプレイ装置。
【請求項１５】
複数の側面を含む複数のスクリーンモジュールを含み、
前記複数のスクリーンモジュールの中で隣接したスクリーンモジュールの側面が、互いに密着し、
前記複数のスクリーンモジュールのそれぞれは、第１項〜第９項のいずれか一項によるディスプレイ装置を含み、
隣接するディスプレイ装置の曲げ部が互いに接触した、マルチスクリーンディスプレイ装置。
【請求項１６】
第１スクリーンモジュールと、
第２スクリーンモジュールとを含み、
前記第１スクリーンモジュールが、
第１アクティブ領域と前記アクティブ領域を囲む第１非アクティブ領域および曲面形態に曲がる第１曲げ部を有する第１基板と、
前記第１基板の第１アクティブ領域に設けられた第１画素アレイ層と、
前記第１画素アレイ層上に設けられる第２基板と、
前記第１基板の第１非アクティブ領域に設けられ前記第２基板の側面を覆う第１カバー膜とを含み、
前記第１画素アレイ層は、前記第１基板と第２基板との間に配置され、
前記第１カバー膜は、前記第１曲げ部と重畳する領域を除いた残りの第１非アクティブ領域に設けられ、
前記第１曲げ部は、第１カバー膜が存在しないことによる第１ストレス減少領域を含み、
前記第２スクリーンモジュールは、
第２アクティブ領域と前記アクティブ領域を囲む第２非アクティブ領域および曲面形態に曲がる第２曲げ部を有する第３基板と、
前記第３基板の第２アクティブ領域に設けられた第２画素アレイ層と、
前記第２画素アレイ層上に設けられる第４基板と、
前記第３基板の第２非アクティブ領域に設けられ前記第４基板の側面を覆う第２カバー膜とを含み、
前記第２画素アレイ層は、前記第３基板と第４基板との間に配置され、前記第２カバー膜、前記第２曲げ部と重畳する領域を除いた残りの第２非アクティブ領域に設けられ、
前記第２曲げ部は、第２カバー膜が存在しないことによる第２ストレス減少領域を含み、
前記第１スクリーンモジュールは、前記第２スクリーンモジュールの側面と平行で密接な側面を含む、マルチスクリーン装置。
【発明の詳細な説明】
【技術分野】
【０００１】
本出願は、ディスプレイ装置およびこれを含むマルチスクリーンディスプレイ装置に関する。
【背景技術】
【０００２】
情報化社会が発展するにつれて、映像を表示するための表示装置への要求が様々な形で高まっている。最近では、よりスリム化された有機発光表示装置が発売され、そのうちのフレキシブルな有機発光表示装置は、携帯が容易であり、様々な形状の装置に適用することができ、多くの利点がある。
【０００３】
フレキシブルな有機発光表示装置は、基板を折り曲げることができる曲げ領域を含み、曲げ領域で基板を折り曲げて、ベゼルのサイズを減らすことができるので、狭いベゼルを有する有機発光表示装置を具現できる。
【０００４】
ただし、より狭いベゼルを有するために曲げの程度を増加させることによって最外殻のストレスが増え、パネル内部の応力が強くなって発光素子層が剥離して薄膜トランジスタが断線するなどの問題が発生する。
【０００５】
また、最近では、従来のディスプレイ装置で構成される複数のスクリーン装置を格子形態に配列して大型ディスプレイ画面を具現するマルチスクリーンディスプレイ装置が実用化されている。
【０００６】
しかし、従来のマルチスクリーンディスプレイ装置は、複数のディスプレイ装置のベゼル領域によって互いに連結されたディスプレイ装置の間に境界部分が存在することになる。このような境界部分は、画面全体に１つの映像を表示する場合、画面全体に断絶感を与えることになり映像への没入度を低下させる。
【先行技術文献】
【特許文献】
【０００７】
【特許文献１】特開２０１５−０５７６７２
【発明の概要】
【発明が解決しようとする課題】
【０００８】
本出願は、曲げを容易にしてゼロベゼルを有することができるディスプレイ装置を提供することを技術的課題とする。
【０００９】
また、本出願は、ディスプレイ装置間の境界部分を削除したり最小化したりしたマルチスクリーンディスプレイ装置を提供することを課題とする。
【課題を解決するための手段】
【００１０】
前述した技術的課題を達成するための本出願によるディスプレイ装置は、アクティブ領域とアクティブ領域を囲む非アクティブ領域および曲面形態に曲げる曲げ部を有する第１基板と、第１基板のアクティブ領域に設けられた画素アレイ層と、画素アレイ層上に設ける第２基板と、第１基板の非アクティブ領域に設けて第２基板の側面を覆うカバー膜とを含み、カバー膜は曲げ部と重畳する領域を除いた残りの非アクティブ領域に設ける。
【００１１】
前述した技術的課題を達成するための本出願によるマルチスクリーンディスプレイ装置は、互いに並んだ側面同士が密着した複数のスクリーンモジュールを有し、複数のスクリーンモジュールのそれぞれは、アクティブ領域とアクティブ領域を囲む非アクティブ領域および曲面形態に曲げる曲げ部を有する第１基板、第１基板のアクティブ領域に設けられた画素アレイ層、画素アレイ層上に設けられる第２基板、第１基板の非アクティブ領域に設けられ第２基板の側面を覆うカバー膜を含み、カバー膜は曲げ部と重畳する領域を除いた残りの非アクティブ領域に設けられ、隣接するスクリーンモジュールの曲げ部は互いに接触することができる。
【発明の効果】
【００１２】
前記課題の解決手段によれば、本出願によるディスプレイ装置は、ストレスに最適化され曲げ部の曲げが容易で、装置を曲げた際に、曲げ部上に設けられた画素アレイ層の損傷を防止することができ、より強化された側面透湿防止特性を有することができる。
【００１３】
本出願によるマルチスクリーンディスプレイ装置は、画面全体に断絶感がない一つの映像、または最小化された一つの映像を表示することができ、これにより、大型サイズの画面に表示される映像への視覚的な没入度を向上することができ、サイズの拡張性が増加し得る。
【００１４】
前記した本出願の効果に加えて、本出願の他の特徴および利点は、以下に記述される。そのような記述および説明から、本出願が属する技術分野で通常の知識を有する者に明確に理解されるだろう。
【図面の簡単な説明】
【００１５】
【図１】本出願の一例によるディスプレイ装置の曲げていない状態の平面図である。
【図２】図１に示した線Ｉ−Ｉ’の断面図である。
【図３】図１に示した線ＩＩ−ＩＩ’の断面図である。
【図４】図１に示した線ＩＩＩ−ＩＩＩ’の断面図である。
【図５】図１に示すディスプレイ装置の曲げ状態を線Ｉ−Ｉ’に基づいて示す断面図である。
【図６】本出願の一例によるマルチスクリーンディスプレイ装置を示す平面図である。
【図７】図６に示した線ＩＶ−ＩＶ’の断面図である。
【発明を実施するための形態】
【００１６】
本発明の利点および特徴、そしてそれらを達成する方法は、添付の図と共に詳細に後述する実施例を参照すると明確になるだろう。しかし、本発明は、以下で開示する実施例に限定されるものではなく、互いに異なる多様な形態で具現されるものであり、単に本実施例は、本発明の開示を完全にし、本発明が属する技術分野で通常の知識を有する者に発明の範疇を完全に知らせるために提供するものであり、本発明は、請求項の範疇によってのみ定義される。
【００１７】
本発明の実施例を説明するために図で開示した形状、大きさ、比率、角度、数などは例示的なものなので、本発明は、図に示した事項に限定されるものではない。明細書全体にわたって同一参照符号は同一の構成要素を指すことができる。また、本発明を説明するにおいて、関連する公知技術に対する詳細な説明が本発明の要旨を不必要に曖昧にすると判断される場合、その詳細な説明は省略する。
【００１８】
本明細書で言及した「含む」、「有する」、「からなる」などが使用されている場合は、「〜だけ」が使用されていない限り、他の部分が追加され得る。構成要素を単数で表現する場合に特に明示的な記載事項がない限り、複数が含まれる場合を含む。
【００１９】
構成要素を解釈するに当たり、別途の明示的な記載がなくても誤差の範囲を含むものと解釈する。
【００２０】
位置関係の説明である場合には、例えば、「〜上に」、「〜の上部に」、「〜の下部に」、「〜の隣に」など２つの部分の位置関係が説明されている場合は、「すぐに」または「直接」が使用されていない以上、二つの部分の間に１つ以上の他の部分が位置することもできる。
【００２１】
時間の関係に対する説明である場合には、例えば、「〜の後」、「〜に続いて」、「〜次に」、「〜前に」などで時間的前後関係が説明されている場合は、「すぐに」または「直接」が使用されていない以上、連続していない場合も含むことができる。
【００２２】
第１、第２などが多様な構成要素を記述するために使用されるが、これらの構成要素はこれらの用語によって制限されない。これらの用語は、ただ一つの構成要素を他の構成要素と区別するために使用されるものである。したがって、以下に記載されている第１構成要素は、本発明の技術的思想内で第２構成要素であることもある。
【００２３】
「第１水平軸方向」、「第２水平軸方向」および「垂直軸方向」は、互いの関係が垂直方向に成り立った幾何学的な関係だけで解釈されてはならず、本発明の構成は、機能的に作用することができる範囲内より広い方向性を有することを意味することができる。
【００２４】
「少なくとも一つ」の用語は、一つ以上の関連項目から提示可能なすべての組み合わせを含むものと理解されなければならない。たとえば、「第１項目、第２項目及び第３項目のうち少なくとも一つ」の意味は、第１項目、第２項目または第３項目のそれぞれのみならず、第１項目、第２項目及び第３項目の中で２つ以上から提示することができるすべての項目の組み合わせを意味する。
【００２５】
本発明のいくつかの実施例のそれぞれの特徴が部分的または全体的に互いに結合または組み合わせ可能で、技術的に様々な連動と駆動が可能であり、各実施例が互いに独立して実施可能であり、連関関係で一緒に実施することもできる。
【００２６】
以下では、本出願によるディスプレイ装置とこれを含むマルチスクリーンディスプレイ装置の好ましい例を添付の図を参照して詳細に説明する。各図の構成要素に参照符号を付加するにおいて、同一の構成要素に対して、たとえ他の図面上に表示されていても、可能な限り同一の符号を有することができる。
【００２７】
図１は、本出願の一例によるディスプレイ装置の曲げていない状態の平面図であり、図２は、図１に示した線Ｉ−Ｉ’の断面図である。
【００２８】
図１及び図２を参照すると、本例に係るディスプレイ装置１００は、第１基板１１０、画素アレイ層１３０、第２基板１６０、およびカバー膜１７０を含む。
【００２９】
前記第１基板１１０は、ベース基板とし、フレキシブル基板である。例えば、第１基板１１０は、透明ポリイミド（ｐｏｌｙｉｍｉｄｅ）材質を含むことができる。ポリイミド材質の第１基板１１０は、キャリアガラス基板に設けられているリリース層の前面に一定の厚さでコーティングしたポリイミド樹脂が硬化したものであり得る。キャリアガラス基板は、レーザーリリース工程を用いたリリース層のリリースによって、第１基板１１０から分離される。
【００３０】
第１基板１１０は、アクティブ領域（ＡＡ）、非アクティブ領域（ＮＡ）、および曲げ部（ＢＰ）を含む。
【００３１】
前記アクティブ領域（ＡＡ）は、映像が表示される表示領域であって、第１基板１１０の中央部分に定義できる。このようなアクティブ領域（ＡＡ）は、映像を表示する画素アレイ層１３０が配置される領域として定義できる。
【００３２】
前記非アクティブ領域（ＮＡ）は、映像が表示されない非表示領域であり、アクティブ領域（ＡＡ）を取り囲むように第１基板１１０の端部に定義できる。非アクティブ領域（ＮＡ）は、第１〜第４の非アクティブ領域（ＮＡ１、ＮＡ２、ＮＡ３、ＮＡ４）を含む。例えば、平面状態を基準に、第１非アクティブ領域（ＮＡ１）は、第１基板１１０の左側非アクティブ領域、第２非アクティブ領域（ＮＡ２）は、第１基板１１０の右側非アクティブ領域、第３非アクティブ領域（ＮＡ３）は、第１基板１１０の上側非アクティブ領域、及び第４非アクティブ領域（ＮＡ４）は、第１基板１１０の下側非アクティブ領域としてそれぞれ定義できる。
【００３３】
前記曲げ部（ＢＰ）は、曲面形態に曲げる部分として定義できる。
【００３４】
一例に係る曲げ部（ＢＰ）は、第１非アクティブ領域（ＮＡ１）の右側に配置される第１曲げ部（ＢＰ１）、及び第１曲げ部（ＢＰ１）と並ぶように第２非アクティブ領域（ＮＡ２）の左側に配置される第２曲げ部（ＢＰ２）を含むことができる。
【００３５】
前記第１曲げ部（ＢＰ１）と前記第２曲げ部（ＢＰ２）のそれぞれは、ディスプレイ装置の側面に映像を表示するエッジ表示領域として定義することができる。そして、第１および第２曲げ部（ＢＰ１、ＢＰ２）を除いた残りのアクティブ領域（ＡＡ）は正面表示領域として定義できる。
【００３６】
このような第１基板１１０の上にバッファ膜１２０を形成することができる。バッファ膜１２０は、第１基板１１０を介して、アクティブ領域（ＡＡ）に浸透する水分を遮断するために、第１基板１１０の上面全体に形成される。一例によるバッファ膜１２０は、交互に積層された複数の無機膜からなり得る。たとえば、バッファ膜１２０は、シリコン酸化膜（ＳｉＯｘ）、シリコン窒化膜（ＳｉＮｘ）、およびシリコン酸窒化膜（ＳｉＯＮ）のいずれか一つ以上の無機膜を交互に積層した多重膜で形成できる。
【００３７】
前記画素アレイ層１３０は、第１基板１１０のアクティブ領域（ＡＡ）上に配置される。つまり、画素アレイ層１３０は、第１基板１１０に定義されたアクティブ領域（ＡＡ）と重畳するバッファ膜１２０上に設けられる。
【００３８】
前記画素アレイ層１３０は、スキャンライン、データライン、駆動電源ライン、画素駆動回路、及び発光素子層を含むことができる。
【００３９】
前記スキャンラインは、第１基板１１０の第１の長さ方向（Ｘ）と並んで配置され、第１基板１１０の第２の長さ方向（Ｙ）に沿って互いに離隔し得る。
【００４０】
前記データラインは、第１基板１１０の第２の長さ方向（Ｙ）と並んで配置され、第１基板１１０の第１の長さ方向（Ｘ）に沿って互いに離隔し得る。
【００４１】
前記駆動電源ラインは、データラインと並んで配置される。
【００４２】
前記画素駆動回路は、スキャンラインとデータラインの交差によって定義される画素領域に設けるもので、少なくとも２つの薄膜トランジスタおよび少なくとも一つのコンデンサを含むことができる。このような画素駆動回路は、隣接したスキャンラインから供給されるスキャン信号、隣接した駆動電源ラインから供給される駆動電源、およびデータラインから供給されるデータ信号によって発光素子層を発光させる。
【００４３】
前記発光素子層は、該当画素の画素駆動回路から供給されるデータ信号によって発光する。発光素子層から放出される光は、第１基板１１０を通過して外部に抽出される。このような発光素子層は、該当画素の画素駆動回路に接続した第１電極、第１電極上に形成された発光層、および発光層上に形成された第２電極を含むことができる。
【００４４】
第１電極は、画素に個別にパターニングされたアノード電極であり得る。第１電極は、光を透過させることができるＩＴＯ、ＩＺＯのような透明な金属物質で形成される。
【００４５】
一例による発光層は、画素に設定された色相に対応する光を放出する赤色発光層、緑色発光層、及び青色発光層を含んでもよい。
【００４６】
他の例に係る発光層は、画素に共通して形成される共通層であってもよく、この場合、製造工程を簡略化できる。発光層は、有機発光層、無機発光層、及び量子ドット発光層のいずれか一つを含むか、有機発光層（または無機発光層）と量子ドット発光層の積層または混合構造を含むことができる。このような発光層は、白色光を放出するための２以上の発光部を含む。例えば、発光層は、第１光と第２光の混合により白色光を放出するための第１発光部と第２発光部を含むことができる。ここで、第１発光部は、第１光を放出するもので、青色発光部、緑色発光部、赤色発光部、黄色発光部、および黄緑色発光部のいずれか一つを含むことができる。第２発光部は、青色発光部、緑色発光部、赤色発光部、黄色発光部、及び黄緑色発行部の中で、第１光と補色関係を有する光を放出する発光部を含むことができる。
【００４７】
第２電極は、カソード電極として画素に共通して形成される共通層であり得る。第２電極は、反射率の高い金属物質を含むことができる。例えば、第２電極は、アルミニウム（Ａｌ）とチタン（Ｔｉ）の積層構造（Ｔｉ／Ａｌ／Ｔｉ）、アルミニウム（Ａｌ）とＩＴＯの積層構造（ＩＴＯ／Ａｌ／ＩＴＯ）、ＡＰＣ（Ａｇ／Ｐｄ／Ｃｕ）合金、およびＡＰＣ合金とＩＴＯの積層構造（ＩＴＯ／ＡＰＣ／ＩＴＯ）のような多層構造で形成してもよく、銀（Ａｇ）、アルミニウム（Ａｌ）、モリブデン（Ｍｏ）、金（Ａｕ）、マグネシウム（Ｍｇ）、カルシウム（Ｃａ）、またはバリウム（Ｂａ）の中から選択したいずれか一つの物質または２以上の合金物質からなる単層構造を含んでもよい。
【００４８】
第２基板１６０は、画素アレイ層１３０上に配置することで、画素アレイ層１３０に隣接した第１面、及び第１面と反対の第２面とを有する。第２基板１６０の第１面は、画素アレイ層１３０に付着する。このような第２基板１６０は、酸素または水分が発光素子層に浸透することを一次的に遮断する役割をする。
【００４９】
一例に係る第２基板１６０は、不透明なメタル材質からなるメタルホイル、メタルシート、またはメタルプレートであり得る。例えば、第２基板１６０は、熱膨張係数が低い鉄（Ｆｅ）とニッケル（Ｎｉ）の合金材料から生成され得るが、これに限定されない。
【００５０】
このような第２基板１６０の第１面は、接着層１５０を介して画素アレイ層１３０に付着する。このような接着層１５０は、熱硬化型または自然硬化型の接着剤であり得る。例えば、接着層１５０は、減圧接着剤または吸湿機能を有するバリア減圧接着剤のような物質からなることができる。
【００５１】
前記カバー膜１７０は、第２基板１６０の側面を覆うように第１基板１１０の非アクティブ領域（ＮＡ）上に設けられる。このようなカバー膜１７０は、ポリマー材質を含むもので、ウレタンまたはアクリルからなり得る。一例によるカバー膜１７０は、第１基板１１０のアクティブ領域（ＡＡ）と接する非アクティブ領域（ＮＡ）で接着層１５０よりも高く設けて接着層１５０を通じた透湿を防止することができる。
【００５２】
カバー膜１７０は、発光素子層の側面が接着層１５０を介して露出しないように、第２基板１６０とアクティブ領域（ＡＡ）の外郭で互いに接するように設けてもよい。
【００５３】
一例に係るカバー膜１７０は、キャリアガラス基板がレーザーリリース工程を用いたリリース層のリリースによって第１基板１１０から分離される過程で、第１基板１１０が巻き込まれる現象を防止するために設ける。詳細には、第１基板１１０の非アクティブ領域（ＮＡ）には、第２基板１６０を設けず、フレキシブルで薄い厚さを有する第１基板１１０が巻き込まれる現象が発生する。このようなカバー膜１７０は、第１基板１１０の非アクティブ領域（ＮＡ）に設けて、第１基板１１０の巻き込み現象を防止することができ、後に第１基板１１０を支持するための透光性フィルム１９０を形成するラミネート工程を容易にできる。
【００５４】
本出願による表示装置は、スキャン駆動回路１４０、およびディスプレイ駆動回路１８０をさらに含む。
【００５５】
前記スキャン駆動回路１４０は、第１基板１１０のアクティブ領域（ＡＡ）の左右端に設けられる。スキャン駆動回路１４０は、ディスプレイ駆動回路１８０から提供されるスキャン制御信号によってスキャン信号を生成し、設定された順序に該当するスキャンラインに供給する。一例によるスキャン駆動回路１４０は、薄膜トランジスタとともに第１基板１１０のアクティブ領域（ＡＡ）に形成することができる。例えば、スキャン駆動回路１４０は、第１基板１１０の第１非アクティブ領域（ＮＡ１）及び第２非アクティブ領域（ＮＡ２）と出会うアクティブ領域（ＡＡ）の左右端のうち少なくとも一つの領域に配置することができる。
【００５６】
前記ディスプレイ駆動回路部１８０は、第１基板１１０の第３非アクティブ領域（ＮＡ３）に設けられたパッド部に接続して、ディスプレイ駆動システムから供給される映像データに対応する映像を各画素に表示する。一例によるディスプレイ駆動回路部１８０は、複数の軟性回路フィルム１８１、複数のデータ駆動集積回路１８３、プリント回路基板１８５およびタイミング制御部１８７を含む。
【００５７】
前記複数の軟性回路フィルム１８１の、それぞれの一側に設けられた入力端子は、フィルム貼付工程によってプリント回路基板１８５に付着され、複数の軟性回路フィルム１８１のそれぞれの他側に設けられた出力端子は、フィルム貼付工程によって第１基板１１０に設けられたパッド部に付着する。
【００５８】
前記複数のデータ駆動集積回路１８３のそれぞれは、複数の軟性回路フィルム１８１のそれぞれに個別に実装される。このような複数のデータ駆動集積回路１８３は、それぞれ、タイミング制御部１８７から提供される画素データとデータ制御信号を受信し、データ制御信号によって画素データをアナログ形態の画素別データ信号に変換して、該当するデータラインに供給する。
【００５９】
前記プリント回路基板１８５は、データ駆動集積回路１８３を支持し、ディスプレイ駆動回路１８０の構成間の信号および電源を伝達する。
【００６０】
前記タイミング制御部１８７は、プリント回路基板１８５に実装され、プリント回路基板１８５に設けられたユーザーコネクタを介してディスプレイ駆動システムから提供される映像データとタイミング同期信号を受信する。タイミング制御部１８７は、タイミング同期信号に基づいて、映像データを画素アレイ層１３０の画素配置構造に適合するように整列して画素データを生成し、生成した画素データを該当するデータ駆動集積回路１８３に提供する。また、タイミング制御部１８７は、タイミング同期信号に基づいて、データ制御信号とスキャン制御信号のそれぞれを生成し、データ制御信号を介して複数のデータ駆動集積回路１８３のそれぞれの駆動タイミングを制御し、スキャン制御信号を介してスキャン駆動回路１４０の駆動タイミングを制御する。ここで、スキャン制御信号は、複数の軟性回路フィルム１８１のうちの最初の、および／または、最終軟性回路フィルムと、第１基板１１０の非アクティブ領域（ＮＡ）を介して該当するスキャン駆動回路１４０に供給することができる。
【００６１】
さらに、本出願による表示装置は、第１基板１１０に重畳するように第１基板１１０に付着した透光性フィルム１９０をさらに含む。
【００６２】
前記透光性フィルム１９０は、透明接着層を媒介にして、第１基板１１０にバッファ膜１２０が形成される第１面と反対の第２面に付着することによって曲げ部（ＢＰ）の損傷なしに曲げを容易にし、曲げ部（ＢＰ）を除いた残りの領域を平面状態に維持する。一例による透光性フィルム１９０は、フレキシブルフィルムから生成されてもよく、例えば、ポリエチレンテレフタレート（ｐｏｌｙｅｔｈｙｌｅｎｅ  ｔｅｒｅｐｈｔｈａｌａｔｅ）フィルム、反射防止フィルム、偏光フィルム、および透過度制御フィルム（ｔｒａｎｓｍｉｔｔａｎｃｅ  ｃｏｎｔｒｏｌｌａｂｌｅ  ｆｉｌｍ）のうちの少なくとも一つのフィルムであってもよい。このような透光性フィルム１９０は、キャリアガラス基板から分離した第１基板１１０の第２面に付着することができる。透明接着層は、ＯＣＲ（ｏｐｔｉｃａｌｌｙ  ｃｌｅａｒ  ｒｅｓｉｎ）またはＯＣＡ（ｏｐｔｉｃａｌｌｙ  ｃｌｅａｒ  ａｄｈｅｓｉｖｅ）であり得る。
【００６３】
図３は、図１に示した線ＩＩ−ＩＩ’の断面図であり、図４は、図１に示した線ＩＩＩ−ＩＩＩ’の断面図である。
【００６４】
図３及び図４を参照すると、本例に係るディスプレイ装置１００は、第１基板１１０、画素アレイ層１３０、第２基板１６０、およびカバー膜１７０を含む。以下カバー膜１７０の付加的な特徴に対してのみ説明し、残りの構成に対しては同一符号を付与し、それに対する重複説明は省略することにする。
【００６５】
前記カバー膜１７０は、曲げ部（ＢＰ）と重畳する領域を除いた残りの非アクティブ領域（ＮＡ）に設けられる。詳細には、第３及び第４非アクティブ領域（ＮＡ３、ＮＡ４）で曲げが起こる部分にはカバー膜１７０を形成しない。一例によるカバー膜１７０はストレスに脆弱なので、曲げ時にカバー膜１７０によって最外殻ストレスが増えると、パネル内部の応力が強くなって発光素子層が剥離したり、薄膜トランジスタが断線したり、無機膜層が破損するなどの問題が発生し得る。一方、本出願によるディスプレイ装置１００は、曲げ部（ＢＰ）と重畳する領域上にカバー膜１７０を配置しないことにより、曲げによって発生する引張応力または圧縮応力による薄膜トランジスタ、および／または、発光素子層の損傷を防止したり、最小限に抑えたりすることができる。また、カバー膜１７０を配置しないことによる厚さの低減によって確保されたストレス分、曲率半径を減らすことができ、ゼロベゼルを有するディスプレイ装置を具現できる。
【００６６】
このように、本実施例に係るディスプレイ装置１００は、曲げ部（ＢＰ）と重畳する領域を除いた残りの非アクティブ領域（ＮＡ）にカバー膜１７０を設け、リリース工程でフレキシブルで薄い第１基板１１０が巻き込まれていく現象を防止することができ、接着層１５０を通じた透湿を防ぐことができる。さらに、薄膜トランジスタ、および／または、発光素子層の損傷を防止し、最小限に抑えながら曲げることができる。
【００６７】
一例に係るカバー膜１７０は、非アクティブ領域（ＮＡ）全体に形成した後、第３及び第４非アクティブ領域（ＮＡ３、ＮＡ４）と曲げ部（ＢＰ）が重畳した領域から除去され得、前記重畳する領域を除いた残りの非アクティブ領域にパターニングして形成することもできるが、これに限定されない。
【００６８】
図５は、図１に示したディスプレイ装置の曲げ状態を線Ｉ−Ｉ’に基づいて示した断面図である。
【００６９】
図５を参照すると、本出願によるディスプレイ装置１００において、第１基板１１０の曲げ部（ＢＰ）は、曲面形態を有するように曲げられる。すなわち、第１基板１１０に定義された第１曲げ部（ＢＰ１）及び第２曲げ部（ＢＰ２）のそれぞれは、一定の曲率半径を有するように第２基板１６０の第２面の方に曲げられ、第２基板１６０の側面を囲む。ここで、第１曲げ部（ＢＰ１）及び第２曲げ部（ＢＰ２）のそれぞれは、１ｍｍ〜５ｍｍの曲率半径を有するように曲げられる。
【００７０】
このように、第１曲げ部（ＢＰ１）及び第２曲げ部（ＢＰ２）のそれぞれを曲面形態に曲げることによってアクティブ領域（ＡＡ）の端も曲面形態に曲げられる。これにより、曲面形態に曲げられたアクティブ領域（ＡＡ）の端には、エッジ表示画面（またはサブ表示画面）を構成する。一方、曲げられていないアクティブ領域（ＡＡ）では、実質的に平面状態を有する正面表示画面（またはメイン表示画面）を構成する。
【００７１】
このような本出願によるディスプレイ装置１００は、非アクティブ領域（ＮＡ）と曲げ部（ＢＰ）が重畳する領域上にカバー膜１７０を配置しないことで曲げを容易にすることができ、曲げ部（ＢＰ）の曲げによって１０マイクロメートル以下のベゼル幅を有することができる。また、本出願によるディスプレイ装置１００は、非アクティブ領域（ＮＡ）と曲げ部（ＢＰ）が重畳する領域上にカバー膜１７０を配置しないことにより、曲げ時に薄膜トランジスタおよび／または発光素子層の損傷を防止することができる。
【００７２】
図６は、本出願の一例によるマルチスクリーンディスプレイ装置を示す平面図であり、図７は、図６に示した線ＩＶ−ＩＶ’の断面図で、これは、図５に示した曲げ構造を有するディスプレイ装置を用いてマルチスクリーンディスプレイ装置を構成したものである。
【００７３】
図６及び図７を参照すると、本出願の一例によるマルチスクリーンディスプレイ装置２００は、互いに並んだ側面同士密着した複数のスクリーンモジュール２１０を含む。
【００７４】
前記複数のスクリーンモジュール２１０のそれぞれは、ディスプレイ装置１００および支持フレーム２２０を含む。
【００７５】
前記ディスプレイ装置１００は、図５に示すディスプレイ装置１００と同一の構成を有するので、これに対する重複説明は省略する。
【００７６】
前記支持フレーム２２０は、ディスプレイ装置１００を収納する。一例による支持フレーム２２０は、ディスプレイ装置１００の背面を支持する床面２２０ａ、ディスプレイ装置１００の側面を包むように床面２２０ａに垂直に設けられた側壁、および床面２２０ａの左側面と右側面のそれぞれに設けられた少なくとも一つのモジュール結合部２２０ｂを含むことができる。
【００７７】
前記床面２２０ａは、凹に形成された凹部２２０ｃを含むことができる。凹部２２０ｃは、床面２２０ａから凹に形成され、ディスプレイ装置１００のディスプレイ駆動回路部と接続した各種回路を収納する。
【００７８】
前記少なくとも一つのモジュール結合部２２０ｂは、複数のスクリーンモジュール２１０を側面同士密着させて結合させるためのモジュール結合部材２４０と結合する。一例による少なくとも一つのモジュール結合部２２０ｂは、床面２２０ａの左側面と右側面のそれぞれから一定の深さを有するように形成された溝を含み、この場合、モジュール結合部材２４０は、モジュール結合部２２０ｂに挿入される結合ピンであり得る。
【００７９】
前記複数のスクリーンモジュール２１０のそれぞれは、前面カバー２３０をさらに含むことができる。
【００８０】
前記前面カバー２３０は、ディスプレイ装置１００の第３及び第４非アクティブ領域（ＮＡ３、ＮＡ４）を覆うように構成される。一例による前面カバー２３０は、第１前面カバー２３０ａ及び第２前面カバー２３０ｂを含む。
【００８１】
前記第１前面カバー２３０ａは、「Ｌ」字形態の断面を有するように形成して支持フレーム２２０に結合することにより、ディスプレイ装置１００の第３非アクティブ領域（ＮＡ３）を覆う。
【００８２】
前記第２前面カバー２３０ｂは、「Ｌ」字形態の断面を有するように形成して支持フレーム２２０に結合することにより、ディスプレイ装置１００の第４非アクティブ領域（ＮＡ４）を覆う。
【００８３】
このような複数のスクリーンモジュール２１０は、モジュール結合部材２４０を介して第１の方向（Ｘ）（または横方向）に沿って互いに側面同士結合する。ここで、隣接するディスプレイ装置１００に設けられた曲面形態の曲げ部（またはエッジ表示領域）は、支持フレーム２２０の側壁によって遮られずに、互いに接触することによって隣接するディスプレイ装置１００間の境界部分が実質的に除去され得る。
【００８４】
本例に係るマルチスクリーンディスプレイ装置２００は、複数のディスプレイ装置１００に設けられた曲面形態の曲げ部が互いに接触しながら側面同士が連結することにより、隣接したディスプレイ装置１００間の境界部分が削除されることにより、全体画面に断絶感がない一つの映像を表示することができ、これにより、大型サイズの画面に表示される映像への視覚的な没入度を向上させることができ、サイズ拡張性が増加し得る。
【００８５】
以上で説明した本出願は、前述した実施例及び添付の図に限定されるものではなく、本出願の技術的事項を逸脱しない範囲内で、複数の置換、変形及び変更が可能であることが、本出願が属する技術分野で通常の知識を有する者にとって明らかであろう。したがって、本出願の範囲は、後述する特許請求の範囲によって示され、特許請求の範囲の意味及び範囲そしてその等価概念から導出されるすべての変更または変形された形態が本出願の範囲に含まれるものと解釈されなければならない。
【符号の説明】
【００８６】
１００：ディスプレイ装置
１１０：第１基板
１２０：バッファ膜
１３０：画素アレイ層
１４０：スキャン駆動回路
１５０：接着層
１６０：第２基板
１７０：カバー膜
１８０：ディスプレイ駆動回路部
１９０：透光性フィルム
２００：マルチスクリーンディスプレイ装置
２１０：スクリーンモジュール
２２０：支持フレーム
２３０：前面カバー
２４０：モジュール結合部材
【図１】
2019045861.tif 000003
【図２】
2019045861.tif 000004
【図３】
2019045861.tif 000005
【図４】
2019045861.tif 000006
【図５】
2019045861.tif 000007
【図６】
2019045861.tif 000008
【図７】
2019045861.tif 000009